(57)【要約】【課題】簡易な構成で、キャビネットの開口中央と表示部の表示画面の中央との位置合わせを正確に行なうことができる表示装置を提供する。【解決手段】表示画面１ａが開口１１ａから露出するように、表示部１０の外縁部にフロントキャビネット１１を被嵌する。ただし、フロントキャビネット１１の内周部と表示部１０の外縁部（例えば内周上部１１１と外縁上部１０１）との間に、スポンジ状の弾性体３，３，…が介在し、フロントキャビネット１１の被嵌の際に位置ズレを生じた場合でも、弾性体３の弾性復元力によって、開口１１ａの中央と表示画面１ａの中央とが自動的に位置合わせされる。【選択図】図５
2007128024.tif 000002
【特許請求の範囲】
【請求項１】
一面に表示画面を有する表示部と、
該表示部の外縁部に被嵌して該外縁部を取り囲むキャビネットと
を備える表示装置において、
前記表示部の外縁部と前記キャビネットの内周部との間の複数の周方向位置に、前記外縁部と前記内周部との間の距離以上の厚みを有する弾性体を備えることを特徴とする表示装置。
【請求項２】
前記表示部及び前記キャビネットは矩形状をなし、
前記弾性体は前記外縁部又は前記内周部の少なくとも対向２辺に設けてあることを特徴とする請求項１に記載の表示装置。
【請求項３】
前記弾性体は、前記内周部又は前記外縁部に接触する接触面、及び該接触面に対して傾斜し、前記表示部に対する前記キャビネットの被嵌を案内する案内面を有することを特徴とする請求項１又は２に記載の表示装置。
【請求項４】
前記弾性体の表面を保護する保護層が設けてあることを特徴とする請求項１乃至３の何れか一項に記載の表示装置。
【請求項５】
一面に表示画面を有する表示部と、
該表示部の外縁部に被嵌して該外縁部を取り囲むキャビネットと
を備える表示装置において、
前記キャビネットの内周部の複数の周方向位置に、前記表示部の外縁部に当接して撓む弾性部を一体に備えることを特徴とする表示装置。
【発明の詳細な説明】
【技術分野】
【０００１】
本発明は、液晶表示装置、プラズマ表示装置等の表示装置に関する。
【背景技術】
【０００２】
表示装置は、表示画面を正面に有する矩形状の表示部と、表示画面を露出させて表示部の正面側から表示部の外縁部を囲繞するフロントキャビネットと、表示部の背面側を被覆するバックキャビネットとを備える。表示部の下部には、表示装置を机上、床面等に立設するための脚部が備えられ、この脚部によって表示部を立設させた状態で、フロントキャビネットを表示部の正面側に、表示部の外縁部に被嵌して取り付ける。
【０００３】
フロントキャビネットは、表示部の表示画面を露出させる開口を有する枠状であり、この開口の中央と、表示画面の中央とが正確に位置合わせされた状態で、フロントキャビネットが表示部に取り付けられる。
【０００４】
ところで、従来の表示装置は、表示部及びスピーカを収容するキャビネットに凹状の位置決め部を設け、スピーカの背後からスピーカを合成ゴム製の固定バンドで位置決め部に押し付けることによって、スピーカを位置合わせしている（特許文献１参照）。
【０００５】
また、従来の他の表示装置は、キャビネットの端子配置用の開口部を着脱可能に被覆するカバーを、この開口部に備えられた係止爪を有する弾性杵部を用いてキャビネットに係止することによって、カバーを位置合わせしている（特許文献２参照）。
【特許文献１】特開２００３−１３４４２１号公報
【特許文献２】実用新案登録第３０９１６８０号公報
【発明の開示】
【発明が解決しようとする課題】
【０００６】
表示装置が小型である場合、フロントキャビネットの取り回しが容易であるため、表示装置の組立作業者は、フロントキャビネットの開口中央と、表示部の表示画面中央との位置合わせを容易に行なうことができる。しかしながら、表示装置が、特に５０インチ〜７０インチの大型である場合、フロントキャビネットの取り回しが困難であるため、組立作業者が表示部にフロントキャビネットを取り付けたとき、フロントキャビネットの開口中央と、表示部の表示画面中央との間に位置ズレを生じることがあった。
【０００７】
ところで、従来、表示装置におけるスピーカ、カバー等の位置合わせを行なうための構成は開示されているが、表示部に対するフロントキャビネットの取り付けの際に、フロントキャビネットの開口中央と、表示部の表示画面中央との位置合わせを正確に行なうための構成は開示されていない。
【０００８】
また、特許文献１，２に開示されているように、２個の部材の位置合わせのために弾性体を利用することが考えられる。しかしながら、特許文献１に開示してあるような固定バンドを用いて表示部をフロントキャビネットに押し付けた場合、固定バンドは主としてフロントキャビネット及び表示部の対向方向の位置ズレに対して弾性復元力を生じるため、フロントキャビネット及び表示部の平行方向の位置ズレを補正することはできない。
【０００９】
また、特許文献２に開示してある弾性杵部はカバーの着脱のために弾性杵部の弾性復元力を利用しており、着脱されないフロントキャビネット及び表示部の位置合わせに用いる場合、構成が無駄に複雑になるという問題がある。
【００１０】
本発明は斯かる事情に鑑みてなされたものであり、その主たる目的は、表示部とキャビネットとの間に複数の弾性体を備えることにより、簡易な構成で、キャビネットの開口中央と表示画面の中央との位置合わせを正確に行なうことができる表示装置を提供することにある。
【００１１】
本発明の他の目的は、各矩形状の表示部とキャビネットとの間の少なくとも対向２辺に弾性体を備えることにより、簡易な構成で、キャビネットの開口中央と表示画面の中央との上下方向及び／又は左右方向の位置合わせを同時的に正確に行なうことができる表示装置を提供することにある。
【００１２】
本発明の他の目的は、キャビネットの被嵌を案内する案内面を有することにより、表示部に対するキャビネットの被嵌を滑らかに行なうことができる表示装置を提供することにある。
【００１３】
本発明の他の目的は、弾性体の表面を保護する保護層が設けてあることにより、弾性体の磨耗、損傷等に起因する位置ズレを防止することができる表示装置を提供することにある。
【００１４】
本発明の更に他の目的は、表示部に当接する弾性部をキャビネットに一体に備えることにより、部品点数を増加させることなく、リサイクル性を維持しつつ、簡易な構成で、キャビネットの開口中央と表示画面の中央との位置合わせを正確に行なうことができる表示装置を提供することにある。
【課題を解決するための手段】
【００１５】
本発明に係る表示装置は、一面に表示画面を有する表示部と、該表示部の外縁部に被嵌して該外縁部を取り囲むキャビネットとを備える表示装置において、前記表示部の外縁部と前記キャビネットの内周部との間の複数の周方向位置に、前記外縁部と前記内周部との間の距離以上の厚みを有する弾性体を備えることを特徴とする。
【００１６】
本発明に係る表示装置は、前記表示部及び前記キャビネットは矩形状をなし、前記弾性体は前記外縁部又は前記内周部の少なくとも対向２辺に設けてあることを特徴とする。
【００１７】
本発明に係る表示装置は、前記弾性体は、前記内周部又は前記外縁部に接触する接触面、及び該接触面に対して傾斜し、前記表示部に対する前記キャビネットの被嵌を案内する案内面を有することを特徴とする。
【００１８】
本発明に係る表示装置は、前記弾性体の表面を保護する保護層が設けてあることを特徴とする。
【００１９】
本発明に係る表示装置は、一面に表示画面を有する表示部と、該表示部の外縁部に被嵌して該外縁部を取り囲むキャビネットとを備える表示装置において、前記キャビネットの内周部の複数の周方向位置に、前記表示部の外縁部に当接して撓む弾性部を一体に備えることを特徴とする。
【発明の効果】
【００２０】
本発明の表示装置による場合、表示部の外縁部とキャビネットの内周部との間の複数の周方向位置に弾性体を介在させて、表示部の外縁部を取り囲むようにキャビネットを表示部の外縁部に被嵌する。また、弾性体が外縁部と内周部との間の距離以上の厚みを有するため、外縁部と内周部との間の距離が弾性体の厚み未満である場合、外縁部と内周部との間で圧縮された弾性体の弾性復元力によって、表示部に対してキャビネットが外方へ付勢される。
【００２１】
このため、表示部に対するキャビネットの被嵌の際、表示部の位置に対するキャビネットの位置が位置ズレを生じた場合でも、位置ズレによって他の弾性体よりも圧縮された弾性体の弾性復元力によって、表示部の位置に対するキャビネットの位置が自動的に補正される。つまり、弾性体が、キャビネットの開口中央が表示部の表示画面の中央と一致する側へ、表示部に対してキャビネットを付勢することができる。この結果、弾性体を介在する簡易な構成で、キャビネットの開口中央と表示部の表示画面中央との位置合わせを正確に行なうことができる。
【００２２】
本発明の表示装置による場合、矩形状の表示部の外縁部と矩形状のキャビネットの内周部との間に、表示部の外縁部（又はキャビネットの内周部）の上下方向及び／又は左右方向の対向２辺に備えられた弾性体を介在させて、表示部の外縁部を取り囲むようにキャビネットを表示部の外縁部に被嵌する。
【００２３】
このため、表示部に対するキャビネットの被嵌の際、表示部の位置に対するキャビネットの位置が上下方向及び／又は左右方向に位置ズレを生じた場合でも、位置ズレによって他の弾性体よりも圧縮された弾性体の弾性復元力によって、表示部の位置に対するキャビネットの位置が自動的に補正される。この結果、特に上下方向及び左右方向の対向２辺夫々に弾性体を介在させる場合は、弾性体を介在する簡易な構成で、キャビネットの開口中央と表示部の表示画面中央との上下方向及び左右方向の位置合わせを同時的に正確に行なうことができる。
【００２４】
本発明の表示装置による場合、表示部（又はキャビネット）に備えられている弾性体に、キャビネットの内周部（又は表示部の外縁部）に接触する接触面と、この接触面に対して傾斜し、表示部に対するキャビネットの被嵌を案内する案内面とが設けられている。このため、表示部に対するキャビネットの被嵌の際に、案内面によってキャビネットが案内されて、内周部（又は外縁部）と接触面とが滑らかに接触する。この結果、表示部に対するキャビネットの被嵌を滑らかに行なうことができ、更に、弾性体の不要な変形が防止されて、弾性体の不要な変形によるキャビネットと表示部との位置ズレを防止することができる。
【００２５】
本発明の表示装置による場合、例えば合成樹脂製のシートを用いてなる保護層を弾性体の表面に設けることによって弾性体の表面を保護する。合成ゴム製、スポンジ状等の弾性体に、金属、合成樹脂等を用いてなる表示部又はキャビネットが直接的に接触、当接等した場合、弾性体に磨耗、損傷等が生じることがあるが、保護層を設けることによって弾性体の磨耗、損傷等を防止することができる。このため、弾性体の磨耗、損傷等によるキャビネットと表示部との位置ズレを防止することができる。
【００２６】
本発明の表示装置による場合、キャビネットの内周部の複数の周方向位置に一体に備えられた弾性部を介在させて、表示部の外縁部を取り囲むようにキャビネットを表示部の外縁部に被嵌する。また、弾性部が表示部の外縁部に当接して撓むため、弾性部の弾性復元力によって、表示部に対してキャビネットが外方へ付勢される。
【００２７】
このため、表示部に対するキャビネットの被嵌の際、表示部の位置に対するキャビネットの位置が位置ズレを生じた場合でも、位置ズレによって他の弾性部よりも撓んだ弾性部の弾性復元力によって、表示部の位置に対するキャビネットの位置が自動的に補正される。つまり、弾性部が、キャビネットの開口中央が表示部の表示画面の中央と一致する側へ、表示部に対してキャビネットを付勢することができる。この結果、キャビネットに弾性部を一体に備える簡易な構成で、キャビネットの開口中央と表示部の表示画面中央との位置合わせを正確に行なうことができる。
【００２８】
弾性部はキャビネットに一体に設けられているため、位置ズレを修正するために、位置ズレ修正部材（例えば弾性体）を別途準備してキャビネット又は表示部に配する必要がない。このため、部品点数を増加させることがないので、部品コストを維持でき、更に組立工数も増加することがない。
更に、弾性部はキャビネットに一体に設けられているため、表示装置をリサイクルする際、キャビネット又は表示部に配された位置ズレ修正部材を除去するような工程が不要であり、キャビネットは弾性部を備えたままでリサイクルが可能となる。このため、表示装置のリサイクル性を維持したままとすることができる。
【発明を実施するための最良の形態】
【００２９】
以下、本発明を、その実施の形態を示す図面に基づいて詳述する。
【００３０】
実施の形態  １．
図１は、本発明の実施の形態１に係る表示装置１の構成を示す斜視図であり、図２は、同じく分解背面斜視図である。また、図３は、フロントキャビネット１１の構成を示す背面斜視図である。
【００３１】
表示装置１は、液晶ディスプレイ・パネルを用いてなる５０インチ〜７０インチ（例えば６５インチ）の矩形状の表示画面１ａを正面に有する矩形状の表示部１０を備える。表示部１０は、更に、表示装置１を机上、床面等に設置するための脚部１３を表示部１０背面下部から突出して有し、表示画面１ａの図示しない光源（バックライト）と、該バックライト及び表示画面１ａの各ラインの各画素に適宜の諧調電圧を印加することによって液晶ディスプレイ・パネルの液晶を制御する図示しない液晶ドライバとを有する。
【００３２】
フロントキャビネット１１は、開口１１ａを有する合成樹脂製の矩形枠状をなし、フロントキャビネット１１の内法は表示部１０のサイズに適合する寸法を有する。表示部１０は、表示画面１ａが開口１１ａから露出されて、外縁上部１０１、外縁下部１０２、外縁右部１０３、及び外縁左部１０４（以下、外縁部全体を外縁部１０１〜１０４という）をフロントキャビネット１１に取り囲まれる。更に、表示部１０の背面側は、金属製のバックキャビネット１２に被覆される。
【００３３】
表示装置１の組立作業者は、脚部１３によって机上、床面等に設置された表示部１０に対し、フロントキャビネット１１を表示部１０の外縁部１０１〜１０４に被嵌して、表示画面１ａの中央とフロントキャビネット１１の開口中央である開口１１ａの中央とが位置合わせされた状態で、仮固定する。この場合、フロントキャビネット１１の内周上部１１１、内周下部１１２、内周右部１１３、及び内周左部１１４（以下、内周部全体を内周部１１１〜１１４という）と表示部１０の外縁部１０１〜１０４とが対向する。フロントキャビネット１１及び表示部１０の仮固定後、フロントキャビネット１１及び表示部１０はビス留めされる。
【００３４】
また、バックキャビネット１２は、表示部１０の裏蓋として機能すべく、フロントキャビネット１１が取り付けられた表示部１０にビス留めされる。このように、フロントキャビネット１１及びバックキャビネット１２は表示部１０を挟み込むようにして保護し、更に、美観を向上させる役割を有する。なお、フロントキャビネット１１、表示部１０及びバックキャビネット１２を同時的にビス留めする構成でもよい。
【００３５】
さて、表示画面１ａの中央と開口１１ａの中央との位置合わせを補助して位置ズレを防止すべく、フロントキャビネット１１の内周部１１１〜１１４には、厚さ約１０ｍｍの矩形状の複数の弾性体３，３，…が、表示部１０の外縁部１０１〜１０４とフロントキャビネット１１の内周部１１１〜１１４との間に介在するよう配置される。
【００３６】
フロントキャビネット１１の内周上部１１１に対し、弾性体３，３，…は、左右方向中央に１個、この弾性体３の左右近傍に各１個、更に内周上部１１１の左右端近傍に各１個、計５個が配置されている。内周上部１１１の左右方向中央部は撓み易いため、内周上部１１１中央部に位置する弾性体３，３，…は、他の位置に配された弾性体３，３，…よりも若干厚め（例えば＋１ｍｍの厚さ）である。
【００３７】
内周下部１１２に対し、弾性体３，３，…は、左右方向略等間隔に３個が配置されており、内周右部１１３及び内周左部１１４夫々に対し、弾性体３，３，…は、上下方向略等間隔に３個が配置されている。
ただし、弾性体３の配置位置、間隔等については、これに限るものではない。
【００３８】
図４は、フロントキャビネット１１上部の分解拡大縦断面図であり、図５は、同じく拡大縦断面図である。また、図６は、フロントキャビネット１１及び表示画面１ａ夫々の中央の位置合わせを説明する説明図であり、表示部１０及びフロントキャビネット１１の模式的正面図でもある。
【００３９】
フロントキャビネット１１の内周部１１１〜１１４には、上下に一対、左右に一対の突出板１１ｂ，１１ｂ，…が、対となる突出板１１ｂ，１１ｂの一面同士が対向するように一体成型で設けてあり、上下（左右）一対の突出板１１ｂ，１１ｂの一面同士の離隔距離は、表示部１０の上下（左右）方向の長さよりも長い。ただし、該長さと前記離隔距離との差は、２個分の弾性体３の厚さ（約２０ｍｍ）未満である。弾性体３，３，…は夫々略等しい厚みを有するため、各弾性体３は外縁部１０１〜１０４と内周部１１１〜１１４との間の距離以上の厚みを有する。また、弾性体３は、各突出板１１ｂの一面に、例えば接着剤のような固定手段を用いて接合してある。
【００４０】
各弾性体３は、適宜の弾性を有するスポンジ状の弾性部材３１を用いてなり、弾性部材３１の表面を保護すべく、弾性部材３１の表面の一部に、合成樹脂製のシートを用いてなる保護層３２が、例えば接着剤のような固定手段を用いて接合してある。表示部１０の外縁部１０１〜１０４に対する保護層３２の摩擦力は、表示部１０の外縁部１０１〜１０４に対する弾性部材３１の摩擦力より小さい。
【００４１】
各弾性体３は、表示部１０の外縁部１０１〜１０４に接触する接触面３ｂと、表示部１０に対するフロントキャビネット１１の被嵌を案内すべく接触面３ｂに対して傾斜して設けてある案内面３ａとを有する。ここで、接触面３ｂは、弾性体３の突出板１１ｂとの接合面に対向する面である。
【００４２】
具体的には、内周上部１１１に配された弾性体３の場合、接触面３ｂは弾性体３の下側である。同様に、内周下部１１２、内周右部１１３及び内周左部１１４夫々に配された弾性体３の場合、接触面３ｂは弾性体３の上側、左側及び右面夫々である。また、案内面３ａは、内周上部１１１に配された弾性体３の場合、弾性体３の背側下方に形成してある。同様に、内周下部１１２、内周右部１１３及び内周左部１１４夫々に配された弾性体３の場合、案内面３ａは、弾性体３の背側上方、背側左方及び背側右方夫々に形成してある。
【００４３】
この案内面３ａ及び接触面３ｂが保護層３２に被覆されており、案内面３ａ及び接触面３ｂ以外の弾性体３表面は保護層３２に被覆されていない。つまり、表示部１０に接触、接触等しない部分に保護層３２を設ける無駄を省いている。
【００４４】
フロントキャビネット１１が表示部１０に被嵌される場合、まず保護層３２に被覆された案内面３ａ，３ａ，…が表示部１０に当接し、フロントキャビネット１１の内周部１１１〜１１４内が表示部１０を取り囲むにつれて、外縁部１０１〜１０４が、保護層３２に被覆された接触面３ｂ，３ｂ，…に円滑に接触する。
【００４５】
以上のような表示装置１は、表示部１０とフロントキャビネット１１との間に弾性体３，３，…を介在する。上下方向及び左右方向夫々の弾性体３，３，…間の距離は、表示部１０の上下方向及び左右方向夫々の長さより短いため、フロントキャビネット１１を表示部１０の外縁部１０１〜１０４に被嵌することによって、弾性体３，３，…は表示部１０とフロントキャビネット１１との間で圧縮される。
【００４６】
表示画面１ａの中央１０ｏと開口１１ａの中央１１ｏとの位置ズレが生じていない場合、上下方向及び左右方向夫々の弾性体３，３，…の圧縮量は等しい。このため、表示部１０に対するフロントキャビネット１１の移動は生じない。
【００４７】
表示画面１ａの中央１０ｏと開口１１ａの中央１１ｏとの位置ズレが生じた場合、上下方向及び／又は左右方向夫々の弾性体３，３，…の圧縮量に差が生じ、圧縮量が大きい弾性体３ほど、弾性復元力が大きくなるため、弾性体３，３，…は、図６に示すように、表示部１０に対してフロントキャビネット１１を、フロントキャビネット１１の開口１１ａの中央１１ｏが表示画面１ａの中央１０ｏと一致する側へ矢符方向又は白抜矢符方向へ付勢する弾性体として機能する。
【００４８】
表示装置１の組立作業者がフロントキャビネット１１を表示部１０に被嵌した場合に、例えば表示画面１ａの中央１０ｏに対して開口１１ａの中央１１ｏが左上方向に位置ズレを生じたとき（図６）、圧縮された弾性体３，３，…の弾性復元力によって、フロントキャビネット１１が右下方向（図６中矢符方向）へ移動する。つまり、表示部１０に対するフロントキャビネット１１の位置が自動的に補正され、表示画面１ａの中央１０ｏと開口１１ａの中央１１ｏとが正確に位置合わせされる。
【００４９】
また、保護層３２は、弾性体３と表示部１０との当接による弾性部材３１の磨耗、損傷等を防止することができ、また、弾性体３と表示部１０との円滑な接触を補助している。
【００５０】
つまり、フロントキャビネット１１に弾性体３，３，…を追加した簡易な構成で、しかもフロントキャビネット１１を表示部１０に被嵌するだけで、表示画面１ａの中央１０ｏと開口１１ａの中央１１ｏの位置合わせを正確に行なうことができる。
【００５１】
更に、表示画面１ａの制御部、電源部等の各部を取り付ける表示部１０に比べて、他の部材を取り付けることが少ないフロントキャビネット１１側に弾性体３，３，…を備えているため、弾性体３，３，…の配置、取り付け等が容易である。また、弾性体３，３，…の形状が単純であるため弾性体３，３，…の形成、取り付け等が容易である。
【００５２】
なお、表示部１０は、液晶ディスプレイ・パネルに限らず、プラズマ・ディスプレイ・パネル、有機／無機ＥＬディスプレイ・パネル等で構成されてもよい。
【００５３】
また、フロントキャビネット１１ではなく表示部１０に各弾性体３，３，…を配置してもよい。更に、弾性体３，３，…の個数、位置、材質等は本実施の形態に例示したものに限定されず、例えばスポンジ状ではなく合成ゴム製の弾性体３を用いてもよく、保護層３２、案内面３ａの形成を省略してもよい。更にまた、上下方向又は左右方向の一方に関してだけ（即ち内周上部１１１及び内周下部１１２のみ、又は内周右部１１３及び内周左部１１４のみに）弾性体３，３，…を配する構成でもよい。
【００５４】
また、弾性体３，３，…は、表示部１０又はフロントキャビネット１１に備えず、フロントキャビネット１１の被嵌後に外縁部１０１〜１０４と内周部１１１〜１１４との間に弾性体３，３，…を挿入する構成でもよい。
【００５５】
更に、フロントキャビネット１１の開口中央と表示画面１ａの中央とを位置合わせする構成のみならず、弾性体３，３，…を用いてバックキャビネット１２の中央と表示画面１ａの中央とを位置合わせし、その後、バックキャビネット１２に対してフロントキャビネット１１の位置合わせを行なうことによって、フロントキャビネット１１の開口中央と表示画面１ａの中央とを位置合わせしてもよい。
【００５６】
実施の形態  ２．
本実施の形態の表示装置は、実施の形態１の表示装置１と略同様の構成である。このため、以下では実施の形態１との差異に関して主に説明し、その他、実施の形態１に対応する部分には同一符号を付してそれらの説明を省略する。
【００５７】
図７は、本発明の実施の形態２に係る表示装置の構成を示すフロントキャビネット１１上部の分解拡大縦断面図であり、図８は、同じく拡大縦断面図である。
表示部１０の表示画面１ａの中央とフロントキャビネット１１の開口１１ａの中央との位置合わせを補助して位置ズレを防止すべく、実施の形態１の弾性体３，３，…の代わりに、フロントキャビネット１１の内周部１１１〜１１４の内面に一体に、突出板状の弾性部４，４，…が突設されている。ただし、図７及び図８中には、内周部１１１に設けられた弾性部４のみが図示してあり、以下では主に内周部１１１の弾性部４を例示して説明する。
【００５８】
具体的には、フロントキャビネット１１の内周部１１１〜１１４には、上下に一対、左右に一対の弾性部４，４，…が、対となる弾性部４，４，…の一面同士が対向するように一体成型で設けてある。このような弾性部４，４，…に関し、例えば内周部１１１の弾性部４は、内周部１１１の周方向に沿う細長矩形板状である。なお、複数の弾性部４，４，…が内周部１１１の周方向に離隔配置される構成でもよい。
【００５９】
弾性部４は、例えばフロントキャビネット１１を一体成型する際に同時的に一体成型されてなり、フロントキャビネット１１を構成する合成樹脂と同じ合成樹脂を用いてなる。
【００６０】
弾性部４の基端側はフロントキャビネット１１に一体の固定端であり、先端側が図７中矢符方向に撓む自由端である。
弾性部４は、合成樹脂製である弾性部４に適切な弾性を与えるための適宜の厚みを有する薄板状である。ただし、弾性部４の先端側の内側（表示部１０の外縁部１０１に対向する側）には、突起部４０が形成してある。この突起部４０には、外縁部１０１に接触する接触面４ｂと、表示部１０に対するフロントキャビネット１１の被嵌を案内すべく接触面４ｂに対して傾斜して設けてある案内面４ａとが設けてある。
【００６１】
ここで、フロントキャビネット１１の内周部１１１に設けられている弾性部４の接触面４ｂと、内周部１１１に対向する内周部１１２に設けられている弾性部４の接触面４ｂとの離隔距離は、表示部１０の上下方向の長さよりも適宜の長さだけ短い。同様に、内周部１１３に設けられている弾性部４の接触面４ｂと、内周部１１３に対向する内周部１１４に設けられている弾性部４の接触面４ｂとの離隔距離は、表示部１０の左右方向の長さよりも適宜の長さだけ短い。
【００６２】
フロントキャビネット１１が表示部１０に被嵌される場合、まず案内面４ａ，４ａ，…が表示部１０に当接し、フロントキャビネット１１の内周部１１１〜１１４内が表示部１０を取り囲むにつれて、外縁部１０１〜１０４が、接触面４ｂ，４ｂ，…に円滑に接触する。
弾性部４は、薄板の一端が固定され、自由端側の一面に突起部４０が突設してある形状であるため、突起部４０と表示部１０との当接によって突起部４０に外力が加えられた場合、薄板の部分が容易に撓む。このため、フロントキャビネット１１の被嵌が容易である。
【００６３】
以上のような表示装置１は、表示部１０とフロントキャビネット１１との間に弾性部４，４，…を介在する。上下方向及び左右方向夫々の弾性部４，４，…の接触面４ｂ，４ｂ，…間の距離は、表示部１０の上下方向及び左右方向夫々の長さより短いため、フロントキャビネット１１を表示部１０の外縁部１０１〜１０４に被嵌することによって、弾性部４，４，…は表示部１０の外縁部１０１〜１０４に当接して表示部１０に対し外方へ（図８中矢符方向へ）撓む。このため、弾性部４，４，…は表示部１０に対し、表示部１０を上下方向及び左右方向夫々に圧縮する方向（図８中白抜矢符方向）に外力を加える。この結果、表示部１０にフロントキャビネット１１が確実に固定される。
【００６４】
表示画面１ａの中央と開口１１ａの中央との位置ズレが生じていない場合、上下方向の弾性部４，４，…の撓みによって生じる弾性部４，４，…の弾性復元力及び表示部１０の重量は均衡状態を保ち、同様に、左右方向の弾性部４，４，…の撓みによって生じる弾性部４，４，…の弾性復元力は均衡状態を保つ。このため、表示部１０に対するフロントキャビネット１１の移動は生じない。
【００６５】
表示画面１ａの中央と開口１１ａの中央との位置ズレが生じた場合、上下方向及び／又は左右方向夫々の均衡状態が崩れるため、弾性部４，４，…は、表示部１０に対してフロントキャビネット１１を、フロントキャビネット１１の開口１１ａの中央が表示画面１ａの中央と一致する側へ付勢する弾性部として機能する。
このため、表示部１０に対するフロントキャビネット１１の位置が自動的に補正され、表示画面１ａの中央と開口１１ａの中央とが正確に位置合わせされる。
【００６６】
つまり、フロントキャビネット１１に弾性部４，４，…を一体形成した簡易な構成で、しかもフロントキャビネット１１を表示部１０に被嵌するだけで、表示画面１ａの中央と開口１１ａの中央の位置合わせを正確に行なうことができる。
即ち、弾性部４，４，…は、実施の形態１の弾性体３，３，…と略同様の位置に配されて、略同様の効果を奏する。
【００６７】
ただし、実施の形態１において位置合わせのために用いられている弾性体３，３，…は、フロントキャビネット１１及び表示部１０とは別途準備される別部材であり、しかも弾性体３，３，…が配される位置によって弾性体３，３，…の厚みが異なる場合があり、部品点数が増加する。
しかしながら、本実施の形態２において位置合わせのために用いられている弾性部４，４，…は、フロントキャビネット１１の一部であるため、別部材の準備、及び別部材のフロントキャビネット１１に対する固定が不要であるので、部品点数を増加させることがない。しかもフロントキャビネット１１のリサイクル時に弾性部４，４，…を除去する必要がないので、リサイクル性を損なうこともない。
【００６８】
なお、本実施の形態２においては、表示部１０及びフロントキャビネット１１は矩形状をなし、弾性部４，４，…はフロントキャビネット１１の上下方向及び左右方向の対向２辺に設けてあるが、これに限るものではない。例えば上下方向のみ又は左右方向のみに設けてもよい。
また、弾性部４，４，…は、表示部１０の外縁部１０１〜１０４に接触する接触面４ｂ，４ｂ，…及び接触面４ｂ，４ｂ，…に対して傾斜し、表示部１０に対するフロントキャビネット１１の被嵌を案内する案内面４ａ，４ａ，…を有するが、これに限るものではない。
【図面の簡単な説明】
【００６９】
【図１】本発明の実施の形態１に係る表示装置の構成を示す斜視図である。
【図２】本発明の実施の形態１に係る表示装置の構成を示す分解背面斜視図である。
【図３】本発明の実施の形態１に係る表示装置が備えるフロントキャビネットの構成を示す背面斜視図である。
【図４】本発明の実施の形態１に係る表示装置の構成を示すフロントキャビネット上部の分解拡大縦断面図である。
【図５】本発明の実施の形態１に係る表示装置の構成を示すフロントキャビネット上部の拡大縦断面図である。
【図６】本発明の実施の形態１に係る表示装置が備えるフロントキャビネット及び表示画面夫々の中央の位置合わせを説明する説明図である。
【図７】本発明の実施の形態２に係る表示装置の構成を示すフロントキャビネット上部の分解拡大縦断面図である。
【図８】本発明の実施の形態２に係る表示装置の構成を示すフロントキャビネット上部の拡大縦断面図である。
【符号の説明】
【００７０】
１    表示装置
１ａ  表示画面
１０  表示部
１０１〜１０４  外縁部
１１  フロントキャビネット（キャビネット）
１１１〜１１４  内周部
３    弾性体
３ａ  案内面
３ｂ  接触面
３２  保護層
４    弾性部
【図１】
2007128024.tif 000003
【図２】
2007128024.tif 000004
【図３】
2007128024.tif 000005
【図４】
2007128024.tif 000006
【図５】
2007128024.tif 000007
【図６】
2007128024.tif 000008
【図７】
2007128024.tif 000009
【図８】
2007128024.tif 000010